(57)【要約】      （修正有）【課題】ソーラパネルと外部端子とを安定して接続するソーラエネルギージャンクションボックスの導線接続構造及びそれらを有したソーラエネルギージャンクションボックスを提供する。【解決手段】ソーラパネルに接続するソーラパネル導電片５０と回路板上の外部導電端子２を接続する導線接続構造であって、第１導電接続舌片２０を間隔をおいて回路板上に垂直に設置し、ソーラパネル導電片から延長して形成した延伸片及び延伸片から湾折延伸するＵ形嵌合片を設けて、Ｕ形嵌合片を第１導電接続舌片に被せてフックして係合し、ソーラパネル導電片のＵ形嵌合片上に複数の絶縁体を被せて設け、回路板面上に間隔をおいて平らに貼合された２つの外部導電端子に接続する１対の第２導電接続舌片と電気的に接続する。【選択図】図１
0003190371.tif 000002
【実用新案登録請求の範囲】
【請求項１】
ソーラパネルに接続する複数のソーラパネル導電片と回路板上の２つの外部導電端子を接続するソーラエネルギージャンクションボックスの導線接続構造であって、
複数の第１導電接続舌片を間隔をおいて該回路板上に垂直に挿入設置し、
上記ソーラパネル導電片から延長して形成した延伸片及び該延伸片から湾折延伸するＵ形嵌合片を設けて、該Ｕ形嵌合片を上記第１導電接続舌片に被せてフックして係合し、該ソーラパネル導電片のＵ形嵌合片上に複数の絶縁体を被せて設け、
上記回路板面上に間隔をおいて平らに貼合された上記２つの外部導電端子に接続する１対の第２導電接続舌片と電気的に接続した、
ソーラエネルギージャンクションボックスの導線接続構造。
【請求項２】
更に、前記第１導電接続舌片に相対して前記回路板の他面側に複数のダイオードを設置した請求項１に記載のソーラエネルギージャンクションボックスの導線接続構造。
【請求項３】
更に、複数のダイオード及び前記第１導電接続舌片を、前記回路板の同一面側に設置した請求項１に記載のソーラエネルギージャンクションボックスの導線接続構造。
【請求項４】
前記回路板は、前記の各第１導電接続舌片に対応して複数の挿入孔を設け、各該第１導電接続舌片の底面に複数の接続ピンを設けて、該接続ピンを該対応する挿入孔中に挿入して設置した請求項１に記載のソーラエネルギージャンクションボックスの導線接続構造。
【請求項５】
前記Ｕ形嵌合片は、係止板及び該係止板両側から延長
して前記第１導電接続舌片の両側面を挟持する２つの挟持片を具え、
該係止板は、該第１導電接続舌片の上面に係止され、かつ上記２つの挟持片は、それぞれ該第１導電接続舌片の両側面に対応して貼合される請求項１に記載のソーラエネルギージャンクションボックスの導線接続構造。
【請求項６】
前記絶縁体は、前記Ｕ形嵌合片の外側に被せて囲う被せ環を具えた、請求項１に記載のソーラエネルギージャンクションボックスの導線接続構造。
【請求項７】
前記絶縁体は、更に、前記被せ環及び前記Ｕ形嵌合片の上面を覆うジャケットを具えた請求項６に記載のソーラエネルギージャンクションボックスの導線接続構造。
【請求項８】
前記被せ環は、矩形環状枠であり、前記ジャケットは、半密閉式の矩形環状ソケットであって、該被せ環に被せてなる請求項７に記載のソーラエネルギージャンクションボックスの導線接続構造。
【請求項９】
ソーラパネルに接続する複数のソーラパネル導電片と回路板上の２つの外部導電端子を接続する導線接続構造を具えたソーラエネルギージャンクションボックスであって、
複数の第１導電接続舌片を間隔をおいて該回路板上に垂直に挿入設置し、
上記ソーラパネル導電片から延長して形成した延伸片及び該延伸片から湾折延伸するＵ形嵌合片を設けて、該Ｕ形嵌合片を上記第１導電接続舌片に被せてフックして係合し、該ソーラパネル導電片のＵ形嵌合片上に複数の絶縁体を被せて設け、
上記回路板面上に間隔をおいて平らに貼合された上記２つの外部導電端子に接続する１対の第２導電接続舌片と電気的に接続した、導線接続構造と、
該導線接続構造が設置される殻体と、
からなるソーラエネルギージャンクションボックス。
【請求項１０】
更に、インバータを具え、前記２つの導電端子は、該インバータ上に設置される請求項９に記載のソーラエネルギージャンクションボックス。
【請求項１１】
更に、前記第１導電接続舌片に相対して該回路板の他面側に複数のダイオードが設置される請求項９に記載のソーラエネルギージャンクションボックス。
【請求項１２】
更に、複数のダイオードを前記第１導電接続舌片と共に、前記回路板の同一側面上に設置した請求項９に記載のソーラエネルギージャンクションボックス。
【請求項１３】
前記回路板は、前記の各第１導電接続舌片に対応して複数の挿入孔を設け、各該第１導電接続舌片の底面に複数の接続ピンを設けて、該接続ピンを該対応する挿入孔中に挿入して設置した請求項９に記載のソーラエネルギージャンクションボックス。
【請求項１４】
前記Ｕ形嵌合片は、係止板及び該係止板両側から延長して前記第１導電接続舌片の両側面を挟持する２つの挟持片を具え、
該係止板は、該第１導電接続舌片の上面に係止され、かつ上記２つの挟持片は、それぞれ該第１導電接続舌片の両側面に対応して貼合される請求項９に記載のソーラエネルギージャンクションボックス。
【請求項１５】
前記絶縁体は、前記Ｕ形嵌合片の外側に被せて囲う被せ環を具えた請求項９に記載のソーラエネルギージャンクションボックス。
【請求項１６】
前記絶縁体は、更に、前記被せ環及び前記Ｕ形嵌合片の上面を覆うジャケットを具えた請求項１５に記載のソーラエネルギージャンクションボックス。
【請求項１７】
前記被せ環は、矩形環状枠であり、前記ジャケットは、半密閉式の矩形環状ソケットであって、該被せ環に被せてなる請求項１５に記載のソーラエネルギージャンクションボックス。
【考案の詳細な説明】
【技術分野】
【０００１】
本考案は、ソーラパネルの周辺装置に関し、特に、ソーラエネルギージャンクションボックス及びその導線接続構造に関する。
【背景技術】
【０００２】
ソーラエネルギー発電技術は、省エネルギー環境保護に適した重要な発展産業の一つとなっている。現在のソーラエネルギー発電技術は、ソーラパネルによって光エネルギーを電気エネルギーに変換し、ソーラパネルが発生する電気エネルギーを導線により伝送する。また、ソーラパネルが発生する電気エネルギーは、通常、ソーラエネルギージャンクションボックスにより電気エネルギーをその他の電気エネルギー保存装置に伝送する。
【０００３】
一般のソーラエネルギーモジュールに使用されるソーラエネルギージャンクションボックスの多くは、構造が四方形を呈する中空箱体を具え、箱体内に回路板及び回路板上に搭載される複数の導線接続構造装置を設け、その実施方式は、該導線接続構造装置をソーラパネルと外部の２つの導電端子の間を接続する。しかしながら、この種の類型のソーラエネルギージャンクションボックスの体積は、過度に大きく、ソーラパネルに設置する時、ソーラパネルの使用面積を占有する。また、ソーラパネルの導線は、導線接続構造装置から脱落して断線し易く、メンテナンス頻度が高くなり、運用効率が低くなる。
【０００４】
これに鑑み、本考案者は、上記現有技術に対して、研究に専念し、学理の運用を合わせ、上記問題の解決に資することが、本考案者の目標となっている。
【先行技術文献】
【特許文献】
【０００５】
【特許文献１】特開２０１０−２５９３１９号公報
【特許文献１】特表２０１１−５２９３２２号公報
【考案の概要】
【考案が解決しようとする課題】
【０００６】
本考案の目的は、ソーラエネルギージャンクションボックスの体積を縮小し、安定した電気接続を提供するソーラエネルギージャンクションボックス及びその導線接続構造を提供することである。
【０００７】
本考案のもう１つの目的は、メンテナンス頻度を低減し、ソーラパネルの運用効率を向上するソーラエネルギージャンクションボックス及びその導線接続構造を提供することである。
【課題を解決するための手段】
【０００８】
上記の目的を達成する為、本考案のソーラエネルギージャンクションボックスの導線接続構造は、２つの導電端子を接続し、該導線接続構造は、回路板、複数の第１導電接続舌片、複数のソーラパネル導電片、複数の絶縁体及び１対の第２導電接続舌片を具える。複数の第１導電接続舌片は、間隔をおいて回路板上に垂直に挿入設置される。複数のソーラパネル導電片は、それぞれ該第１導電接続舌片上に対応して結合し、各ソーラパネル導電片は、ソーラパネルを接続する延伸片及び延伸片から湾折延伸するＵ形嵌合片を具え、各Ｕ形嵌合片は、各第１導電接続舌片上に被さってフックする。複数の絶縁体は、それぞれ該ソーラパネル導電片上に対応して被さり合わさる。該対第２導電接続舌片は、間隔をおいて回路板の一側面上に平らに貼合され、前記２つの導電端子は、それぞれ該第２導電接続舌片上で電気的に接続する。
【０００９】
上記目的を達成する為、本考案のソーラエネルギージャンクションボックスは、殻体及びソーラエネルギージャンクションボックスの導線接続構造を具える。ソーラエネルギージャンクションボックスの導線接続構造は、殻体内に設置される。導線接続構造は、回路板、複数の第１導電接続舌片、複数のソーラパネル導電片、複数の絶縁体及び１対の第２導電接続舌片を含む。複数の第１導電接続舌片は、間隔をおいて回路板上に垂直に挿入設置される。複数のソーラパネル導電片は、それぞれ該第１導電接続舌片上に対応して結合し、各ソーラパネル導電片は、ソーラパネルを接続する延伸片及び延伸片から湾折延伸するＵ形嵌合片を具え、各Ｕ形嵌合片は、各第１導電接続舌片上に被さってフックする。複数の絶縁体は、それぞれ該ソーラパネル導電片上に対応して被さり合わさる。該対第２導電接続舌片は、間隔をおいて回路板の一側面上に平らに貼合され、前記２つの導電端子は、それぞれ該第２導電接続舌片上に電気的に接続する。
【考案の効果】
【００１０】
従来技術に比較し、本考案の導電接続構造の第１導電接続舌片は、該回路板上に垂直に挿入設置され、Ｕ形嵌合片を有するソーラパネル導電片により第１導電接続舌片上に被さってフックし、最後に絶縁体を使用してソーラパネル導電片に対応して被さり合い、ソーラパネル導電片及び第１導電接続舌片の間は、直立して結合し、従来のフルフラット式結合方式に比較して、本考案のソーラエネルギージャンクションボックスは、幅及び体積を大幅に減縮することができる。また、ソーラパネル導電片は、Ｕ形嵌合片により被さりフックして第１導電接続舌片上に安定して結合でき、容易に離脱することがなく、ソーラパネル導電片及び回路板の第１導電接続舌片上の間で安定した結合及び電気接続を達成することができ、更に、本考案の実用性を増加させる。
【図面の簡単な説明】
【００１１】
【図１】本考案のソーラエネルギージャンクションボックスの立体外観説明図である。
【図２】本考案のソーラエネルギージャンクションボックスの導線接続構造の部分立体分解説明図である。
【図３】本考案のソーラエネルギージャンクションボックスの導線接続構造の組み合わせ断面図である。
【図４】本考案のソーラエネルギージャンクションボックスの導線接続構造の第２実施例である。
【考案を実施するための形態】
【００１２】
本考案の詳細な説明及び技術内容について、以下に図面を合わせて説明するが、図面は、参考及び説明に資するものであって、本考案に対して制限を加えるものではない。
【００１３】
図１〜図３を参照する。
それぞれ本考案のソーラエネルギージャンクションボックスの立体外観説明図、部分導線接続構造の立体分解説明図及びその組み合わせ断面図である。本考案のソーラエネルギージャンクションボックス１は、殻体１０及び導線接続構造具える。該導線接続構造２０は、該殻体１０内に設置され、ソーラエネルギージャンクションボックス１を構成する。
【００１４】
前記殻体１０は、該導線接続構造２０を覆い、該導線接続構造２０が水分又は外部からの衝撃を受けることを防止する。該導線接続構造２０は、回路板３０、複数の第１導電接続舌片４０、複数のソーラパネル導電片５０、複数の絶縁体６０及び１対の第２導電接続舌片７０を有する。該第１導電接続舌片４０、複数のソーラパネル導電片５０、複数の絶縁体６０及び該対第２導電接続舌片７０は、何れも該回路板３０上に設置される。
【００１５】
更に詳細に述べれば、該第１導電接続舌片４０は、間隔をおいて該回路板３０上に対応して結合される。該ソーラパネル導電片５０は、それぞれ該第１導電接続舌片４０上に対応して結合される。各該ソーラパネル導電片５０は、ソーラパネル（図示せず）に接続する延伸片５１及び該延伸片５１から湾折延伸するＵ形嵌合片５２を含む。各該Ｕ形嵌合片５２は、該第１導電接続舌片４０上に被さってフックされる。
【００１６】
複数の絶縁体６０は、それぞれ該ソーラパネル導電片５０上に対応して被さり合う。該第２導電接続舌片７０は、間隔をおいて該回路板３０の板面上に平らに貼合する。本考案の導線接続構造２０は、２つの導電端子２を接続することに用い、該２つの導電端子２は、それぞれ該対第２導電接続舌片７０に電気接続される。これにより、該ソーラパネル導電片５０に伝達される電気は、この導線接続構造２０を介して該２つの導電端子２に伝送され、最後に該２つの導電端子２の導電接続によって伝送されて使用されるか、その他の電気エネルギー保存装置に伝送される。
【００１７】
好ましくは、該導線接続構造２０は、更に、複数のダイオード８０を具える。該ダイオード８０の設置は、逆向きの電圧の発生を防止することに用いる。本考案の実施例において、該第１導電接続舌片４０及び該対第２導電接続舌片７０は、該回路板３０の同一側に設置され、該ダイオード８０は、該対第２導電接続舌片７０に相対して回路板３０の他側面上に設置される。
【００１８】
図１に示すように、該回路板３０は、各該第１導電接続舌片４０に対応して複数の挿入孔３１を設け、各該第１導電接続舌片４０の底面は、複数の接続ピン４１を有し、該接続ピン４１は、該挿入孔３１中に対応して挿入設置され、該第１導電接続舌片４０を該回路板３０上に直立して設置する。また、Ｕ形嵌合片５２は、係止板５２１及び該係止板５２１二側に位置する２つの挟持片５２２を具える。該係止板５２１は、該第１導電接続舌片４０の上面に係止し、該２つの挟持片５２２は、それぞれ該第１導電接続舌片４０の二側面に対応して貼合する。
【００１９】
更に、各絶縁体６０は、被せ環６１及びジャケット６２を具える。該被せ環６１は、矩形環状の枠体であり、それは、該Ｕ形嵌合片５２外側を囲うように設けられる。また、該ジャケット６２は、半密閉式の矩形環状のソケットであって、該被せ環６１及び該Ｕ形嵌合片５２の上面を覆う。
【００２０】
本考案の実施例において、該ソーラエネルギージャンクションボックス１は、更にインバータ(inverter)９０を有する。該２つの導電端子２は、該インバータ９０の一側に設置され、該ソーラパネル導電片５０が伝送する電気は、該２つの導電端子２及び該インバータ９０を介して伝送されて使用されるか、その他の電気エネルギー保存装置に伝送される。
【００２１】
図４を参照する。
本考案のソーラエネルギージャンクションボックスの導線接続構造の第２実施例である。該導線接続構造２０ａは、回路板３０ａ、複数の第１導電接続舌片４０ａ、複数のソーラパネル導電片５０ａ、複数の絶縁体６０ａ、１対の第２導電接続舌片７０ａ及び複数のダイオード８０ａを具える。該第１導電接続舌片４０ａ、複数のソーラパネル導電片５０ａ、複数の絶縁体６０ａ、該第２導電接続舌片７０ａ及び該ダイオード８０ａは、何れも該回路板３０ａ上に設置される。
【００２２】
本実施例及び第１実施例の異なる箇所は、該対第２導電接続舌片７０ａ及び該第１導電接続舌片４０ａは、該回路板３０ａの二側面に相対して設置されることにある。該ダイオード８０ａは、該第１導電接続舌片４０ａに相対して該回路板３０ａの同一側面上に設置され、その他の部材の設置は、第１実施例と同一である。
【００２３】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２４】
１  ソーラエネルギージャンクションボックス
２  導電端子
１０  殻体
２０，２０ａ  導線接続構造
３０，３０ａ  回路板
４０，４０ａ  第１導電接続舌片
４１  接続ピン
５０，５０ａ  ソーラパネル導電片
５１  延伸片
５２  Ｕ形嵌合片
５２１  係止板
５２２  挟持片
６０，６０ａ  絶縁体
６１  被せ環
６２  ジャケット
７０，７０ａ  第２導電接続舌片
８０，８０ａ  ダイオード
９０  インバータ
【図１】
0003190371.tif 000003
【図２】
0003190371.tif 000004
【図３】
0003190371.tif 000005
【図４】
0003190371.tif 000006